(57)【要約】【課題】  本発明は、市民マラソン等、多数の参加者が出場する競技大会において、多数の参加者の中から特定の参加者を撮影しやすくする手段を提供する。【解決手段】  撮影装置は、撮像素子と、位置情報取得部と、通信部と、参加者情報要求部と、参加者情報受信部と、報知制御部とを備える。撮像素子は、被写体光を光電変換して画像を生成する。位置情報取得部は、撮影者側位置情報を取得する。通信部は、外部機器と通信を行なう。参加者情報要求部は、参加者の移動状況を示す参加者情報を、参加者を識別する識別子に応じて参加者情報を提供するサーバ装置に向けて、識別子に基づく特定の参加者の参加者情報を通信部を介して送信要求する。参加者情報受信部は、特定の参加者の参加者情報をサーバ装置から通信部を介して受信する。報知制御部は、特定の参加者の参加者情報と撮影者側位置情報とに基づいて、特定の参加者が撮影者に近づいて来ることを報知部に報知させる。【選択図】    図１
2013168854.tif 000002
【特許請求の範囲】
【請求項１】
撮影光学系からの被写体光を光電変換して画像を生成する撮像素子と、
撮影者の現在位置を示す撮影者側位置情報を取得する位置情報取得部と、
外部機器と通信を行なう通信部と、
予め定められたコースを移動する競技の参加者の現在位置を示す参加者側位置情報に基づいて作成された当該参加者の移動状況を示す参加者情報を、前記参加者を識別する識別子に応じて前記参加者情報を提供するサーバ装置に向けて、前記識別子に基づく特定の参加者の前記参加者情報を前記通信部を介して送信要求する参加者情報要求部と、
前記参加者情報要求部によって送信要求された特定の前記参加者の前記参加者情報を前記サーバ装置から前記通信部を介して受信する参加者情報受信部と、
特定の前記参加者の前記参加者情報と前記撮影者側位置情報とに基づいて、特定の前記参加者が前記撮影者に近づいて来ることを報知部に報知させる報知制御部と、
を備えることを特徴とする撮影装置。
【請求項２】
撮影光学系からの被写体光を光電変換して画像を生成する撮像素子と、
撮影者の現在位置を示す撮影者側位置情報を取得する位置情報取得部と、
外部機器と通信を行なう通信部と、
前記撮影者側位置情報を、予め定められたコースを移動する競技の参加者の移動状況を示す参加者情報を当該参加者を識別する識別子に応じて提供するサーバ装置に向けて、前記通信部を介して送信する位置情報送信部と、
前記識別子で識別された特定の前記参加者の前記参加者情報を、前記通信部を介して前記サーバ装置に送信要求する参加者情報要求部と、
前記撮影者側位置情報を前記移動状況に関連付けた特定の前記参加者の前記参加者情報を、前記サーバ装置から前記通信部を介して受信する参加者情報受信部と、
特定の前記参加者の前記参加者情報に基づいて、特定の前記参加者が前記撮影者に近づいて来ることを報知部に報知させる報知制御部と、
を備えることを特徴とする撮影装置。
【請求項３】
請求項２に記載の撮影装置において、
特定の前記参加者の前記参加者情報は、前記撮影者側位置情報に基づく前記コース上の指定位置を、特定の前記参加者が通過する予測タイムであって、
前記報知制御部は、前記予測タイムと現在時刻とに基づいて、特定の前記参加者が前記撮影者に近づいて来ることを前記報知部に報知させることを特徴とする撮影装置。
【請求項４】
請求項１から請求項３の何れか１項に記載の撮影装置において、
前記報知部は、音を出力するスピーカであって、
前記報知制御部は、特定の前記参加者が前記撮影者に近づいて来るに従って、前記スピーカの前記音のレベルを段階的に上げることを特徴とする撮影装置。
【請求項５】
請求項１から請求項３の何れか１項に記載の撮影装置において、
前記報知部は、光を発光する報知発光部であって、
前記報知制御部は、特定の前記参加者が前記撮影者に近づいて来るに従って、前記報知発光部の前記光を発光する周期を段階的に短くすることを特徴とする撮影装置。
【請求項６】
請求項１から請求項３の何れか１項に記載の撮影装置において、
光電変換された前記画像を表示する表示部をさらに備え、
前記報知部は、前記画像を表示する表示部であって、
前記報知制御部は、特定の前記参加者の前記参加者情報を前記表示部に表示させることを特徴とする撮影装置。
【請求項７】
請求項６に記載の撮影装置において、
前記参加者を識別する参加者画像を予め記憶するメモリと、
前記参加者を認識する画像認識部とをさらに備え、
前記画像認識部は、前記撮像素子が生成する構図確認用の動画像から参加者を認識して、前記メモリに記憶されている前記参加者画像を照合し、
前記報知制御部は、照合結果に基づいて、一致した参加者について目印表示を前記表示部にさせることを特徴とする撮影装置。
【請求項８】
請求項７に記載の撮影装置において、
前記参加者画像は、前記参加者の顔の画像であることを特徴とする撮影装置。
【請求項９】
請求項１から請求項８の何れか１項に記載の撮影装置において、
前記撮影装置は、前記撮影光学系を保持するレンズ鏡筒と、該レンズ鏡筒に接続可能なカメラボディとを有し、
前記報知制御部は、前記レンズ鏡筒に設けられる操作環の操作に応じて、前記報知部の報知内容を変更することを特徴とする撮影装置。
【請求項１０】
請求項１から請求項８の何れか１項に記載の撮影装置において、
焦点距離を検出する焦点距離検出部をさらに備え、
前記報知制御部は、前記焦点距離に応じて、前記報知部の報知内容を変更することを特徴とする撮影装置。
【請求項１１】
請求項１から請求項８の何れか１項に記載の撮影装置において、
前記報知制御部は、前記撮影光学系に用いられる交換レンズの種類に応じて、前記報知部の報知内容を変更することを特徴とする撮影装置。
【請求項１２】
外部機器と通信を行なうサーバ側通信部と、
予め定められたコースを移動する競技の参加者が携帯している、当該参加者の現在位置を示す参加者側位置情報を取得して前記外部機器に送信する携帯端末から、前記サーバ側通信部を介して前記参加者側位置情報を受信する参加者側位置情報受信部と、
前記参加者側位置情報に基づいて、前記参加者の移動状況を示す参加者情報を作成する参加者情報作成部と、
前記参加者を識別する識別子毎に前記参加者情報をデータベースに記録する記録処理部と、
通信機能を有する撮影装置から、前記サーバ側通信部を介して、前記識別子に基づく特定の参加者の前記参加者情報の送信要求を受け付ける送信要求受付部と、
前記送信要求受付部が前記送信要求を受け付けた場合、特定の前記参加者の前記参加者情報を前記データベースから読み出して、該参加者情報を前記サーバ側通信部を介して前記撮影装置に送信する参加者情報送信部と、
を備えることを特徴とするサーバ装置。
【請求項１３】
外部機器と通信を行なうサーバ側通信部と、
予め定められたコースを移動する競技の参加者が携帯している、当該参加者の現在位置を示す参加者側位置情報を取得して外部機器に送信する携帯端末から、前記サーバ側通信部を介して前記参加者側位置情報を受信する参加者側位置情報受信部と、
撮影者の現在位置を示す撮影者側位置情報を取得して外部機器に送信する通信機能を有する撮影装置から、前記サーバ側通信部を介して前記撮影者側位置情報を受信する撮影者側位置情報受信部と、
前記参加者が装着している、当該参加者を識別する識別子を介して計測された前記コース上の計測地点を通過する時間を、前記サーバ側通信部を介して取得する通過時間取得部と、
前記参加者側位置情報と通過時間とに基づいて、前記参加者の移動状況を示す参加者情報を作成する参加者情報作成部と、
前記参加者を識別する前記識別子毎に前記参加者情報をデータベースに記録する記録処理部と、
前記撮影装置から、前記サーバ側通信部を介して、前記識別子に基づく特定の参加者の前記参加者情報の送信要求を受け付ける送信要求受付部と、
前記送信要求受付部が前記送信要求を受け付けた場合、特定の前記参加者の前記参加者情報を前記データベースから読み出して、前記撮影者側位置情報を前記移動状況に関連付けた特定の前記参加者の前記参加者情報を、前記サーバ側通信部を介して前記撮影装置に送信する参加者情報送信部と、
を備えることを特徴とするサーバ装置。
【請求項１４】
請求項１３のサーバ装置において、
前記参加者情報作成部は、特定の前記参加者の前記参加者情報として、前記撮影者側位置情報に基づく前記コース上の指定位置を特定の前記参加者が通過する予測時間を、特定の前記参加者の前記参加者側位置情報及び前記通過時間と、前記撮影者側位置情報とに基づいて作成することを特徴とするサーバ装置。
【請求項１５】
請求項１に記載の撮影装置と、
請求項１２に記載のサーバ装置と、
を備えることを特徴とする管理システム。
【請求項１６】
請求項２に記載の撮影装置と、
請求項１３又は請求項１4に記載のサーバ装置と、
を備えることを特徴とする管理システム。
【発明の詳細な説明】
【技術分野】
【０００１】
本発明は、撮影装置、サーバ装置及び管理システムに関する。
【背景技術】
【０００２】
従来、市民マラソン等の競技大会に参加している参加者等が、コースに設定されている複数の計測地点（例えば５ｋｍ毎に設けられた計測地点）を通過する予測タイムを、走行中に知ることができる配信方法が提案されている（例えば、特許文献１参照）。
【０００３】
特許文献１の配信方法によれば、識別番号が付与された無線ＩＣ（Integrated Circuit）タグを参加者が装着し、計測地点の検出器が無線ＩＣタグの識別番号を読み取ることで、通過タイムを計測する。
【０００４】
そして、この配信方法では、通過タイム（スタート地点から当該計測地点までのタイム）に基づいて、その計測地点以降の予測タイムを電子メールで、携帯電話を所持して走行している参加者や、携帯電話を所持して沿道で応援している家族等の関係者に送信する。
【先行技術文献】
【特許文献】
【０００５】
【特許文献１】特開２００２−２５９６１７号公報
【発明の概要】
【発明が解決しようとする課題】
【０００６】
しかし、例えば関係者が特定の参加者（お目当ての選手）の予測タイムを知ることができても、市民マラソン等の競技大会の場合、一般的に多数の参加者が数珠繋ぎで走行してくる。そのため、関係者が沿道から特定の参加者を電子カメラ等で撮影しようとすると、その関係者は、その特定の参加者を発見することが困難になりやすい。したがって、その関係者は、その特定の参加者を撮影するシャッタチャンスを逃してしまうことがある。
【０００７】
また、上記の配信方法では、計測地点毎の予測タイムを送信するため、関係者が計測地点から離れた場所の沿道にいる場合、実際に目の前を特定の参加者が通過する予測タイムを把握しづらい。したがって、その関係者は、この場合においても、その特定の参加者を撮影するシャッタチャンスを逃してしまうことがある。
【０００８】
そこで、本発明は、上記事情に鑑み、市民マラソン等、多数の参加者が出場する競技大会において、多数の参加者の中から特定の参加者を撮影しやすくする手段を提供することを目的とする。
【課題を解決するための手段】
【０００９】
第１の発明に係る撮影装置は、撮像素子と、位置情報取得部と、通信部と、参加者情報要求部と、参加者情報受信部と、報知制御部とを備える。撮像素子は、撮影光学系からの被写体光を光電変換して画像を生成する。位置情報取得部は、撮影者の現在位置を示す撮影者側位置情報を取得する。通信部は、外部機器と通信を行なう。参加者情報要求部は、予め定められたコースを移動する競技の参加者の現在位置を示す参加者側位置情報に基づいて作成された参加者の移動状況を示す参加者情報を、参加者を識別する識別子に応じて提供するサーバ装置に向けて、識別子に基づく特定の参加者の参加者情報を通信部を介して送信要求する。参加者情報受信部は、参加者情報要求部によって送信要求された特定の参加者の参加者情報をサーバ装置から通信部を介して受信する。報知制御部は、特定の参加者の参加者情報と撮影者側位置情報とに基づいて、特定の参加者が撮影者に近づいて来ることを報知部に報知させる。
【００１０】
第２の発明に係る撮影装置は、撮像素子と、位置情報取得部と、通信部と、位置情報送信部と、参加者情報要求部と、参加者情報受信部と、報知制御部とを備える。撮像素子は、撮影光学系からの被写体光を光電変換して画像を生成する。位置情報取得部は、撮影者の現在位置を示す撮影者側位置情報を取得する。通信部は、外部機器と通信を行なう。位置情報送信部は、撮影者側位置情報を予め定められたコースを移動する競技の参加者の移動状況を示す参加者情報を、参加者を識別する識別子に応じて提供するサーバ装置に向けて、通信部を介して送信する。参加者情報要求部は、識別子で識別された特定の参加者の参加者情報を、通信部を介してサーバ装置に送信要求する。参加者情報受信部は、撮影者側位置情報を移動状況に関連付けた特定の参加者の参加者情報を、サーバ装置から通信部を介して受信する。報知制御部は、特定の参加者の参加者情報に基づいて、特定の参加者が撮影者に近づいて来ることを報知部に報知させる。
【００１１】
第３の発明は、第２の発明において、特定の参加者の参加者情報は、撮影者側位置情報に基づくコース上の指定位置を、特定の参加者が通過する予測タイムである。報知制御部は、予測タイムと現在時刻とに基づいて、特定の参加者が撮影者に近づいて来ることを報知部に報知させる。
【００１２】
第４の発明は、第１から第３の発明の何れかにおいて、報知部は、音を出力するスピーカである。報知制御部は、特定の参加者が撮影者に近づいて来るに従って、スピーカの音のレベルを段階的に上げる。
【００１３】
第５の発明は、第１から第３の発明の何れかにおいて、報知部は、光を発光する報知発光部である。報知制御部は、特定の参加者が撮影者に近づいて来るに従って、報知発光部の光を発光する周期を段階的に短くする。
【００１４】
第６の発明は、第１から第３の発明の何れかにおいて、表示部をさらに備える。報知部は、画像を表示する表示部である。報知制御部は、特定の参加者の参加者情報を表示部に表示させる。
【００１５】
第７の発明は、第６の発明において、メモリと、画像認識部とをさらに備える。メモリは、参加者を識別する参加者画像を予め記憶する。画像認識部は、撮像素子が生成する構図確認用の動画像から参加者画像を認識して、メモリに記憶されている参加者の画像を照合する。報知制御部は、照合結果に基づいて、一致した参加者について目印表示を表示部にさせる。
【００１６】
第８の発明は、第７の発明において、参加者画像は、参加者の顔である。
【００１７】
第９の発明は、第１から第８の発明の何れかにおいて、撮影装置は、撮影光学系を保持するレンズ鏡筒と、そのレンズ鏡筒に接続可能なカメラボディとを有する。報知制御部は、レンズ鏡筒に設けられる操作環の操作に応じて、報知部の報知内容を変更する。
【００１８】
第１０の発明は、第１から第８の発明の何れかにおいて、焦点距離検出部をさらに備える。焦点距離検出部は、焦点距離を検出する。報知制御部は、焦点距離に応じて、報知部の報知内容を変更する。
【００１９】
第１１の発明は、第１から第８の発明の何れかにおいて、報知制御部は撮影光学系に用いられる交換レンズの種類に応じて、報知部の報知内容を変更する。
【００２０】
第１２の発明に係るサーバ装置は、サーバ側通信部と、参加者側位置情報受信部と、参加者情報作成部と、記録処理部と、送信要求受付部と、参加者情報送信部とを備える。サーバ側通信部は、外部機器と通信を行なう。参加者側位置情報受信部は、予め定められたコースを移動する競技の参加者が携帯している、その参加者の現在位置を示す参加者側位置情報を取得して外部機器に送信する携帯端末から、サーバ側通信部を介して参加者側位置情報を受信する。参加者情報作成部は、参加者側位置情報に基づいて、参加者の移動状況を示す参加者情報を作成する。記録処理部は、参加者を識別する識別子毎に参加者情報をデータベースに記録する。送信要求受付部は、通信機能を有する撮影装置から、サーバ側通信部を介して、識別子に基づく特定の参加者の参加者情報の送信要求を受け付ける。参加者情報送信部は、送信要求受付部が送信要求を受け付けた場合、特定の参加者の参加者情報をデータベースから読み出して、その参加者情報をサーバ側通信部を介して撮影装置に送信する。
【００２１】
第１３の発明に係るサーバ装置は、通信部と、参加者側位置情報受信部と、撮影者側位置情報受信部と、通過時間取得部と、参加者情報作成部と、記録処理部と、送信要求受付部と、参加者情報送信部とを備える。サーバ側通信部は、外部機器と通信を行なう。参加者側位置情報受信部は、予め定められたコースを移動する競技の参加者が携帯している、その参加者の現在位置を示す参加者側位置情報を取得して外部機器に送信する携帯端末から、サーバ側通信部を介して参加者側位置情報を受信する。撮影者側位置情報受信部は、撮影者の現在位置を示す撮影者側位置情報を取得して外部に送信する通信機能を有する撮影装置から、サーバ側通信部を介して撮影者側位置情報を受信する。通過時間取得部は、参加者が装着している、その参加者を識別する識別子を介して計測されたコース上の計測地点を通過する時間を、サーバ側通信部を介して取得する。参加者情報作成部は、参加者側位置情報と通過時間とに基づいて、参加者の移動状況を示す参加者情報を作成する。記録処理部は、参加者を識別する識別子毎に参加者情報をデータベースに記録する。送信要求受付部は、撮影装置から、サーバ側通信部を介して、識別子に基づく特定の参加者の参加者情報の送信要求を受け付ける。参加者情報送信部は、送信要求受付部が送信要求を受け付けた場合、特定の参加者の参加者情報をデータベースから読み出して、撮影者側位置情報を移動状況に関連付けた特定の参加者の参加者情報を、サーバ側通信部を介して撮影装置に送信する。
【００２２】
第１４の発明は、第１３の発明において、参加者情報作成部は、特定の参加者の参加者情報として、撮影者側位置情報に基づくコース上の指定位置を特定の参加者が通過する予測時間を、特定の参加者の参加者側位置情報及び通過時間と、撮影者側位置情報とに基づいて作成する。
【００２３】
第１５の発明に係る管理システムは、第１の発明に係る撮影装置と、第１２の発明に係るサーバ装置とを備える。
【００２４】
第１６の発明に係る管理システムは、第２の発明に係る撮影装置と、第１３又は第１４の発明に係るサーバ装置とを備える。
【発明の効果】
【００２５】
本発明によれば、市民マラソン等、多数の参加者が出場する競技大会において、多数の参加者の中から特定の参加者を撮影しやすくする手段を提供できる。
【図面の簡単な説明】
【００２６】
【図１】管理システム１００の構成の一例を示す図
【図２】電子カメラ１の概略構成例を示す側面図
【図３】電子カメラ１の筐体の背面図
【図４】電子カメラ１の内部構成例を示すブロック図
【図５】記録媒体Ｍ１に記録されている制御プログラム
【図６】管理サーバ５の構成例を説明するブロック図
【図７】ＨＤＤ装置５４に記録されているサーバ用制御プログラムの模式図
【図８】データベース５４ａの一例を説明する図
【図９】無線ＩＣタグ７の構成例を説明するブロック図
【図１０】携帯端末８の構成例を説明するブロック図
【図１１】管理システム１００における携帯端末８の動作の一例を示すフローチャート
【図１２】管理システム１００における無線ＩＣタグ７の動作の一例を示すフローチャート
【図１３】電子カメラ１と管理サーバ５との間のシーケンスの一例を説明する図
【図１４】コースマップの表示例を示す図
【図１５】コースマップ及び参加者Ｐ１の現在の移動状況の表示例を示す図
【図１６】コース上の指定位置を指定する手段の一例を示す図
【図１７】参加者Ｐ１の現在位置と通過予想時刻との表示例を示す図
【図１８】ファインダ１１２を利用した報知処理の一例を示す図
【図１９】第３実施形態の処理の流れを示す図
【図２０】撮影レンズユニット（レンズ鏡筒）Ｕ１の側面図を示す図
【図２１】高低差を考慮した場合の報知処理の一例を示す図
【発明を実施するための形態】
【００２７】
（第１実施形態）
以下、図面に基づいて本発明の実施の形態を詳細に説明する。先ず、本発明の管理システムの一実施形態である管理システム１００の構成について説明する。
【００２８】
＜管理システム１００の構成＞
図１は、管理システム１００の構成の一例を示す図である。本実施形態における管理システム１００は、市民マラソン等、多数の参加者が出場する競技（マラソン）大会で用いることができる。
【００２９】
管理システム１００は、本発明の撮影装置の一実施形態である電子カメラ１と、本発明のサーバ装置の一実施形態である管理サーバ５とを備える。
【００３０】
また、管理システム１００は、電子カメラ１や携帯端末８に位置情報を提供するＧＰＳ（Global Positioning System）衛星２を利用する。また、管理システム１００は、電子カメラ１と無線通信を行なうための基地局４や無線ＬＡＮ（Local Area Network）装置６を利用する。
【００３１】
さらに、管理システム１００では、各参加者（図１では、参加者Ｐ１で代表して示す）が使用する無線ＩＣタグ７や携帯端末８を備える。無線ＩＣタグ７は、計測器９を介して無線ＬＡＮ装置６と情報の送受信を行なう。計測器９は、例えばコース上に敷かれたマット状のものであり、内蔵アンテナを介して無線ＩＣタグ７上の情報を読み書きするリーダ／ライタと、読み取った情報を処理する制御部と、無線ＬＡＮ装置６を介して管理サーバ５と情報を送受信するための通信部とを備える（図示省略）。
【００３２】
管理システム１００において、管理サーバ５は、インターネット網３に接続されている。撮影者Ｐ２の電子カメラ１や参加者Ｐ１の携帯端末８は、基地局４又は無線ＬＡＮ装置６を経由してインターネット網３に接続された管理サーバ５との間で通信可能となっている。
【００３３】
管理システム１００において、各参加者には、無線ＩＣタグ７が大会本部から貸与されることとする。また、各参加者は、必要に応じて携帯端末８を予め用意する。なお、大会本部が携帯端末８を希望する参加者に貸与するようにしても良い。携帯端末８は、図１に示す通り、腕時計型の携帯端末であって、参加者の腕に装着される。
【００３４】
無線ＩＣタグ７は、図１に示す通り、例えば参加者Ｐ１の靴（靴紐）又は、ゼッケンの布の部分等に装着される。この無線ＩＣタグ７には、参加者を識別するための識別番号が付与されている。そして、管理システム１００では、参加者が付けるゼッケン番号と識別番号とを予め対応付けている。
【００３５】
また、管理システム１００では、特に、市民マラソン等、多数の参加者が出場する競技大会において、例えば各々の参加者の走行時間を管理する。なお、市民マラソン等の場合、多数の参加者が出場するため、全ての参加者は、同時にスタートラインに立てない。そのため、管理システム１００では、走行時間として、スタートの号砲が鳴ってからゴールまでの総合タイム（グロスタイム）、実際にスタートラインを通過してからゴールラインまでのタイム（ネットタイム）、ある一定の区間距離（例えば５ｋｍ毎）毎のタイム（ラップタイム）、撮影者からの要求に応じて、その撮影者が指定した位置（場所）を通過する予測タイム等を管理する。競技中において、大会が提供するホームページ上では、ユーザがゼッケン番号を入力すると、一例として、そのゼッケン番号の参加者のラップタイムを表示する。
【００３６】
以下、管理システム１００における電子カメラ１、管理サーバ５、無線ＩＣタグ７及び携帯端末８の各構成について具体的に説明する。
【００３７】
＜電子カメラ１＞
図２は、電子カメラ１の概略構成例を示す側面図である。電子カメラ１は、図２に示す通り、例えば一眼レフレックスタイプの電子カメラであり、カメラ本体１０と撮影レンズユニットＵ１とを備える。撮影レンズユニットＵ１は、被写体光をカメラ本体１０に導くために、カメラ本体１０の前面に形成されたレンズマウント１０ａに着脱自在に取り付けられる。なお、カメラ本体１０と撮影レンズユニットＵ１とは、撮影レンズユニットＵ１の装着時にレンズマウント１０ａの接点を介して電気的に接続される。
【００３８】
撮影レンズユニットＵ１は、撮影光学系Ｕ２と絞りＵ３とを備える。撮影光学系Ｕ２は、被写体に焦点を合わせるフォーカスレンズや被写体の像をズームするためのズームレンズを含む複数枚のレンズにより構成される。ここでは、説明の便宜上１枚のレンズで図示する。絞りＵ３は、入射光量を絞り羽根の開閉で調整する。
【００３９】
カメラ本体１０は、クイックリターンミラー１０１、サブミラー１０１ａ、拡散スクリーン１０２、コンデンサレンズ１０３、ペンタダハプリズム１０４、測光用プリズム１０５、測光用レンズ１０６、測光センサ１０７、接眼レンズ１０８、焦点距離検出部１０９、機械式シャッタ１１０、撮像素子１１１及びファインダ１１２を備える。
【００４０】
クイックリターンミラー１０１は、図中一点鎖線で示す光軸ＯＡ（Optical Axis）上に回動自在に設けられる。被写体の撮影を行なう場合には、クイックリターンミラー１０１は、回動により図中点線で示す位置に退避する。この際、サブミラー１０１ａは、折り畳まれる。これにより、被写体からカメラ本体１０に入射された被写体光は、撮像素子１１１に導かれる。
【００４１】
一方、被写体の撮影を行なわない場合、クイックリターンミラー１０１は、光軸ＯＡに対して斜めの位置に配置される。この場合、クイックリターンミラー１０１は、撮影光学系Ｕ２を介してカメラ本体１０に入射された被写体光を反射させて拡散スクリーン１０２に導くと共に、サブミラー１０１ａにも導く。
【００４２】
拡散スクリーン１０２は、クイックリターンミラー１０１により導かれた被写体光を拡散し、拡散させた被写体光をコンデンサレンズ１０３を介してペンタダハプリズム１０４に導く。ペンタダハプリズム１０４は、被写体光を反射させて測光用プリズム１０５へ導くと共に接眼レンズ１０８へ導く。また、測光用プリズム１０５は、測光用レンズ１０６を介して被写体光を測光センサ１０７に導く。
【００４３】
接眼レンズ１０８は、ペンタダハプリズム１０４により導かれた被写体光を被写体の像として結像する。撮影者は、ファインダ１１２を介して、接眼レンズ１０８により結像される被写体の像を見ることで、被写体の構図等を確認することができる。
【００４４】
測光センサ１０７は、被写体輝度（被写体の明るさ）と被写体の色情報とを検出する。具体的には、測光センサ１０７は、２次元に配列された画素の画像信号（出力信号）を選択的に読み出す撮像領域を有し、被写体光を撮像領域で測光する。測光センサ１０７の撮像素子が出力する画像信号は、測光センサ１０７内部でゲイン調整やＡ／Ｄ変換等が施されて、後述するＲＡＭ（Random Access Memory）１３又はＣＰＵ（Central Processing Unit）２７内のメモリ（不図示）に一時的に記録される。
【００４５】
焦点距離検出部１０９は、例えば、位相差方式の焦点検出を行ない、撮影光学系Ｕ２の焦点状態を検出する。なお、電子カメラ１は、測光センサ１０７により検出される被写体輝度に基づいて、コントラスト方式の焦点検出を行ない、撮影光学系Ｕ２の焦点状態を検出しても良い。
【００４６】
機械式シャッタ１１０は、開閉式のシャッタ幕を備え、撮像素子１１１への入射光を遮光する遮光状態と、撮像素子１１１に入射光を到達させる非遮光状態とをシャッタ幕の開閉により切り替える。
【００４７】
撮像素子１１１は、撮影光学系からの被写体光を光電変換して画像を生成する。撮像素子１１１は、例えばＣＭＯＳ（Complementary Metal Oxide Semiconductor）型のカラーイメージセンサである。なお、撮像素子１１１は、ＣＣＤ（Charge Coupled Device）型のカラーイメージセンサであっても良い。ファインダ１１２は、例えば覗き窓及び透過型の液晶画面で構成される。
【００４８】
図３は、電子カメラ１の筐体の背面図である。電子カメラ１の筐体の上面には、電子カメラ１の電源釦１７ａと、レリーズ釦１８と、ファインダ１１２とが設けられている。また、電子カメラ１の筐体の背面には、表示モニタ１６と、スピーカ２４と、マイク２５と、報知発光部２６と、モード選択釦１７ｂ、メニュー釦１７ｃ及び選択・決定釦１７ｄが設けられている。
【００４９】
また、本実施形態の操作部１７は、電源釦１７ａと、モード選択釦１７ｂと、メニュー釦１７ｃと、選択・決定釦１７ｄとを含む。モード選択釦１７ｂは、撮影モード若しくは再生モードに切り替える操作を受け付ける。メニュー釦１７ｃは、メニュー画面を立ち上げるための操作を受け付ける。選択・決定釦１７ｄは、電子カメラ１の操作メニューにおける設定条件等の項目選択又は項目決定を受け付ける。
【００５０】
ここで、選択・決定釦１７ｄは、決定釦１７ｅとダイヤル１７ｆとを有する。ダイヤル１７ｆの全体形状は、環状であって、ダイヤル１７ｆの内周側には決定釦１７ｅが配置されている。そして、ダイヤル１７ｆは、メニュー画面等での項目選択の入力を受け付ける。また、決定釦１７ｅは、メニュー画面等での項目決定の入力を受け付ける。
【００５１】
図４は、電子カメラ１の内部構成例を示す図である。電子カメラ１は、上述した通り、カメラ本体１０と撮影レンズユニットＵ１とを備える。
【００５２】
なお、図４では、説明の便宜上、図２に示した絞りＵ３、拡散スクリーン１０２、コンデンサレンズ１０３、測光用プリズム１０５、測光用レンズ１０６、測光センサ１０７、接眼レンズ１０８及び機械式シャッタ１１０の図示を省略する。
【００５３】
カメラ本体１０は、クイックリターンミラー１０１と、サブミラー１０１ａと、ペンタダハプリズム１０４と、焦点距離検出部１０９と、撮像素子１１１と、ファインダ１１２と、信号処理部１１と、画像処理部１２と、ＲＡＭ１３と、フラッシュメモリ１４と、記録インターフェース部（以下、「記録Ｉ／Ｆ部」という。）１５と、表示モニタ１６と、操作部１７と、レリーズ釦１８と、タッチパネル１９と、通信インターフェース部（以下、「通信Ｉ／Ｆ部」という。）２０と、内蔵アンテナ２１と、ＧＰＳ受信機２２と、音声処理回路２３と、スピーカ２４と、マイク２５と、報知発光部２６と、ＣＰＵ２７と、バス２８と、レンズマウント１０ａとを備える。
【００５４】
このうち、信号処理部１１、画像処理部１２、ＲＡＭ１３、フラッシュメモリ１４、記録Ｉ／Ｆ部１５、表示モニタ１６及びＣＰＵ２７は、バス２８を介して互いに接続されている。
【００５５】
また、撮像素子１１１と、操作部１７と、レリーズ釦１８、タッチパネル１９、通信Ｉ／Ｆ部２０、ＧＰＳ受信機２２、音声処理回路２３、報知発光部２６及び焦点距離検出部１０９は、ＣＰＵ２７と接続されている。
【００５６】
信号処理部１１は、撮像素子１１１が生成する画像信号に対して信号処理を施す回路である。なお、タイミングジェネレータ（不図示）は、ＣＰＵ２７からの指示に従い撮像素子１１１及び信号処理部１１の各々へ向けて駆動信号を送出し、両者の駆動タイミングを制御する。
【００５７】
また、信号処理部１１は、画像信号のゲイン調整やＡ／Ｄ変換などを行なう。信号処理部１１が出力する画像信号は、画像データとしてＲＡＭ１３に一時的に記録される。画像データの種類としては、記録用の画像（以下「撮影画像」という。）、構図確認用のスルー画像等の画像データである。
【００５８】
画像処理部１２は、ＲＡＭ１３に記録されている画像データを読み出し、例えば、撮影画像の画像データに対して各種の画像処理（例えば、ホワイトバランス処理等）を施す。ＲＡＭ１３は、揮発性のメモリである。フラッシュメモリ１４は、電子カメラ１の制御を行なうプログラム等を予め記憶している不揮発性のメモリである。また、フラッシュメモリ１４には、マラソンコースを示すコースマップ等の電子地図が記憶される。
【００５９】
記録Ｉ／Ｆ部１５には、着脱自在の記録媒体Ｍ１を接続するためのコネクタ（不図示）が形成されている。そして、記録Ｉ／Ｆ部１５は、ＣＰＵ２７からの指示により、そのコネクタに接続された記録媒体Ｍ１にアクセスして撮影画像の記録処理等を行なう。この記録媒体Ｍ１は、例えば、不揮発性のメモリカードである。図４では、コネクタに接続された後の記録媒体Ｍ１を示している。また、記録媒体Ｍ１には、第１実施形態における電子カメラ１のＣＰＵ２７が使用する制御プログラム等が記録されている。
【００６０】
図５は、記録媒体Ｍ１に記録されている制御プログラムの模式図である。第１実施形態では、制御プログラムＡをフラッシュメモリ１４にインストールして用いる。制御プログラムＡについては、ＣＰＵ２７の説明の際、後述する。
【００６１】
表示モニタ１６は、例えば液晶表示媒体により構成される。表示モニタ１６は、ＣＰＵ２７の指示に応じて各種画像や電子カメラ１の操作メニュー等を表示する。操作部１７は、電子カメラ１を操作するための指示入力を受け付ける。レリーズ釦１８は、半押し操作（撮影準備の動作開始）と全押し操作（撮影動作開始）との指示入力とを受け付ける。
【００６２】
タッチパネル１９は、例えば感圧（抵抗膜）式のタッチパネルであって、表示モニタ１６上に設けられたタッチパネル表面に接触した物体（指先）の位置を検出する。そして、タッチパネル１９は、検出した位置を示す信号（位置情報）をＣＰＵ２７に送信する。なお、タッチパネル１９は、感圧（抵抗膜）式に限られず、他の方式（例えば、静電容量式）のタッチパネルであっても良い。
【００６３】
通信Ｉ／Ｆ部２０は、内蔵アンテナ２１を介して基地局４又は無線ＬＡＮ装置６との間で無線通信を行なう。ＧＰＳ受信機２２は、ＧＰＳ衛星２からの電波を受信して、位置情報（経度、緯度、方位等）をＣＰＵ２７に出力する。音声処理回路２３は、マイク２５を介して入力されたアナログの音声信号をデジタルの音声信号に変換して音声信号を取得する。また、音声処理部１９は、音声信号をスピーカ２４を介して音声又は効果音に変換し、その音声又は効果音の出力処理を行なう。報知発光部２６は、例えばＬＥＤ（Light Emitting Diode）により構成される。
【００６４】
ＣＰＵ２７は、電子カメラ１の統括的な制御を行なうプロセッサである。ＣＰＵ２７は、フラッシュメモリ１４に予め格納されたプログラムを実行することにより電子カメラ１の各部を制御する。また、ＣＰＵ２７は、現在の時刻を検出する計時機能を有している。
【００６５】
また、第１実施形態では、図５に示す記録媒体Ｍ１内の制御プログラムＡがＣＰＵ２７に読み込まれる。そして、ＣＰＵ２７は、制御プログラムＡを実行することによって、位置情報取得部２７ａと、位置情報送信部２７ｂと、参加者情報要求部２７ｃと、参加者情報受信部２７ｄと、報知制御部２７ｅとしても機能する。
【００６６】
位置情報取得部２７ａは、撮影者の現在位置を示す撮影者側位置情報を取得する。具体的には、位置情報取得部２７ａは、ＧＰＳ受信機２２が受信した位置情報（経度、緯度、方位等）に基づいて、例えば電子地図上で照合することにより、撮影者側位置情報を取得する。
【００６７】
位置情報送信部２７ｂは、管理サーバ５に向けて、撮影者側位置情報を通信Ｉ／Ｆ部２０を介して送信する。この管理サーバ５は、識別番号に応じて参加者情報を提供する。参加者情報は、例えば、予め定められたコースを移動する競技の参加者の移動状況を示す。
【００６８】
参加者情報要求部２７ｃは、識別番号で識別された特定の参加者の参加者情報を、通信Ｉ／Ｆ部２０を介して管理サーバ５に送信要求する。
【００６９】
なお、位置情報送信部２７ｂや参加者情報要求部２７ｃは、電子カメラ毎に識別する識別情報（例えば、製造番号）を送信する。これにより、管理サーバ５は、どの電子カメラから送信してきたかを識別することができる。
【００７０】
参加者情報受信部２７ｄは、管理サーバ５から特定の参加者の参加者情報を、通信Ｉ／Ｆ部２０を介して受信する。この特定の参加者の参加者情報は、撮影者側位置情報を移動状況に関連付けた情報である。具体的には、特定の参加者の参加者情報は、一例として、撮影者側位置情報に基づくコース上の指定位置を、特定の参加者が通過する予測タイムである。つまり、撮影者が沿道から応援している場合、特定の参加者の参加者情報は、コース上で参加者がその撮影者の前を通過する予測タイムである。
【００７１】
報知制御部２７ｅは、特定の参加者の参加者情報（予測タイム）に基づいて、特定の参加者が撮影者に近づいて来ることをスピーカ２４や報知発光部２６に報知させる。或いは、報知制御部２７ｅは、特定の参加者の参加者情報を表示モニタ１６に表示させる。
【００７２】
＜管理サーバ５＞
図６は、管理サーバ５の構成例を説明するブロック図である。管理サーバ５は、例えば電子カメラ１からの要求に応じて、インターネット網３を通じて電子カメラ１からのデータを受信する。
【００７３】
ここで、管理サーバ５は、一般のサーバコンピュータに適用可能であり、通信Ｉ／Ｆ部５１と、フラッシュメモリ５２と、ＲＡＭ５３と、ハードディスクドライブ（Hard Disc Drive）装置（以下「ＨＤＤ装置」という。）５４と、表示モニタ５５と、操作部５６と、サーバ用ＣＰＵ５７とを備える。
【００７４】
通信Ｉ／Ｆ部５１は、外部と通信を行なう。具体的には、通信Ｉ／Ｆ部５１は、図１に示すインターネット網３を経由して、携帯端末８、計測器９及び電子カメラ１等と通信を行なうための通信インターフェースを有している。また、通信Ｉ／Ｆ部５１は、インターネット網３を経由して、パーソナルコンピュータ（不図示）と通信を行なう。
【００７５】
フラッシュメモリ５２は、ＯＳ（オペレーティングシステム）プログラムやそのＯＳ上で実行する管理システム１００のプログラム等を記録する。ＲＡＭ５３は、データ処理の作業用のバッファメモリである。ＨＤＤ装置５４は、各種データを記憶する。また、ＨＤＤ装置５４は、データベース５４ａを有する。データベース５４ａは、参加者情報を記録する。また、ＨＤＤ装置５４には、第１実施形態における管理サーバ５のサーバ用ＣＰＵ５７が使用するサーバ用制御プログラム等が記録されている。
【００７６】
図７は、ＨＤＤ装置５４に記録されているサーバ用制御プログラムの模式図である。第１実施形態では、先ず、サーバ用制御プログラムＡをフラッシュメモリ５２にインストールして用いる。サーバ用制御プログラムＡについては、サーバ用ＣＰＵ５７の説明の際、後述する。
【００７７】
表示モニタ５５は、サーバ用ＣＰＵ５７の指示に応じて、管理システム１００の操作画面や出力結果等を表示する。操作部５６は、管理サーバ５を操作するための指示入力を受け付ける。
【００７８】
サーバ用ＣＰＵ５７は、管理サーバ５の統括的な制御を行なうプロセッサである。サーバ用ＣＰＵ５７は、フラッシュメモリ５２に予め記録されたＯＳプログラムを実行することにより管理サーバ５の各部を制御する。
【００７９】
また、第１実施形態では、フラッシュメモリ５２にインストールされたサーバ用制御プログラムＡがサーバ用ＣＰＵ５７に読み込まれる。そして、サーバ用ＣＰＵ５７は、サーバ用制御プログラムＡを実行することによって、参加者側位置情報受信部５７ａと、撮影者側位置情報受信部５７ｂと、通過時間取得部５７ｃと、参加者情報作成部５７ｄと、記録処理部５７ｅと、送信要求受付部５７ｆと、参加者情報送信部５７ｇとしても機能する。
【００８０】
参加者側位置情報受信部５７ａは、図１に示す携帯端末８から通信Ｉ／Ｆ部５１を介して参加者側位置情報を受信する。この携帯端末８は、参加者の現在位置を示す参加者側位置情報を取得して管理サーバ５に送信する。
【００８１】
撮影者側位置情報受信部５７ｂは、電子カメラ１から通信Ｉ／Ｆ部５１を介して撮影者側位置情報を受信する。電子カメラ１は、撮影者の現在位置を示す撮影者側位置情報を取得して管理サーバ５に送信する通信機能を有する。
【００８２】
通過時間取得部５７ｃは、参加者（例えば図１のＰ１）が装着している無線ＩＣタグ７を介して計測されたコース上の計測地点を通過する時間を、通信Ｉ／Ｆ部５１を介して取得する。
【００８３】
参加者情報作成部５７ｄは、参加者側位置情報と通過時間（通過タイム）とに基づいて、参加者の移動状況を示す参加者情報を作成する。この際、参加者情報作成部５７ｄは、撮影者側位置情報を参加者情報に関連付ける（詳細は、図１３に示すシーケンス処理の動作で説明する）。記録処理部５７ｅは、識別番号毎に参加者情報をデータベース５４ａに記録する。
【００８４】
送信要求受付部５７ｆは、電子カメラ１から、通信Ｉ／Ｆ部５１を介して、識別番号に基づく特定の参加者の参加者情報の送信要求を受け付ける。
【００８５】
参加者情報送信部５７ｇは、送信要求受付部５７ｆが送信要求を受け付けた場合、識別番号に基づいて特定の参加者の参加者情報をデータベース５４ａから読み出す。そして、参加者情報送信部５７ｇは、その特定の参加者の参加者情報を、通信Ｉ／Ｆ部５１を介して電子カメラ１に送信する。
【００８６】
図８は、データベース５４ａの一例を説明する図である。図８（ａ）では、ゼッケン番号と、識別番号と、参加者氏名との対応関係を示している。つまり、データベース５４ａでは、参加者毎にゼッケン番号を振り分ける共に、このゼッケン番号を無線ＩＣタグ７の識別番号に対応付けている。
【００８７】
また、図８（ｂ）では、識別番号毎に、スタート地点通過タイム（ＳＴ）、５ｋｍ毎のラップタイム、グロスタイム（ＧＴ）及びネットタイム（ＮＴ）を管理している。後述する記録処理部５７ｅは、参加者情報の一例として、競技の進行に伴ってこれらのタイムを記録していく。
【００８８】
また、図８（ｃ）は、参加者の位置情報のデータベースである。参加者側位置情報受信部５７ａが参加者側位置情報を受信すると、記録処理部５７ｅは、図８（ｃ）に示す通り、参加者側位置情報として、識別番号、位置情報（緯度／経度）、マラソンコース上のスタート地点からの参加者の移動距離を示す現在位置の情報を記録する。なお、記録処理部５７ｅは、参加者側位置情報を受信する毎に、位置情報、現在位置の情報を上書きしていく。また、記録処理部５７ｅは、参加者情報作成部５７ｄが識別番号に応じて撮影者Ｐ２までの予測タイムを算出すると、その予測タイムを記録する。
【００８９】
また、図８（ｄ）は、撮影者の位置情報のデータベースである。撮影者側位置情報受信部５７ｂは、電子カメラ１から通信Ｉ／Ｆ部５１を介して撮影者側位置情報を受信する。記録処理部５７ｅは、図８（ｄ）に示す通り、撮影者側位置情報として、電子カメラ１の識別情報毎に、位置情報（緯度／経度）、マラソンコース上のスタート地点から換算して、撮影者がいる場所を示す現在位置の情報を記録する。したがって、データベース５４ａでは、必要に応じて、識別番号毎に予測タイム、参加者情報及び撮影者の位置情報等を管理する。なお、説明の便宜上、一例として参加者Ｐ１の識別番号を「0000001」とし、電子カメラ１の製造番号に対応付けられた識別情報を「A00001」とする。
【００９０】
＜無線ＩＣタグ７＞
図９は、無線ＩＣタグ７の構成例を説明するブロック図である。無線ＩＣタグ７は、ＲＦＩＤ（Radio Frequency IDentification）タグ形式のＩＣチップである。無線ＩＣタグ７は、マラソンコースに設定されている複数の計測地点で、参加者が通過する時間を計測するために用いられる。複数の計測地点としては、スタートライン、ゴールライン、５ｋｍ毎に設けられた計測地点等である。
【００９１】
無線ＩＣタグ７は、電池を内蔵しない給電方式であって、図１に示す計測器９内のリーダ／ライタからマット状の内蔵アンテナを介してＲＦ磁界の電磁誘導により、電力の供給を受ける。
【００９２】
そして、無線ＩＣタグ７は、図９に示す通り、ＩＣチップの構成として、メモリ７１と、無線ＩＣ回路７２と、内蔵アンテナ７３と、制御回路７４とを備える。各々の無線ＩＣタグ７のメモリ７１には、計測器９内のリーダ／ライタにより、予め参加者を識別するための識別番号が付与されている。つまり、参加者が使用するゼッケン番号と識別番号とが対応付けられている。
【００９３】
無線ＩＣ回路７２は、内蔵アンテナ７３を介して、計測器９内のリーダ／ライタからのＲＦ信号をやりとりする。ＲＦ信号にはコマンドデータが含まれている。制御回路７４は、コマンドデータに従って、例えばメモリ７１から識別番号を読み出す。そして、制御回路７４は、無線ＩＣ回路７２を介して、識別番号をリーダ／ライタに送信する。
【００９４】
＜携帯端末８＞
図１０は、携帯端末８の構成例を説明するブロック図である。携帯端末８は、ＧＰＳ機能や無線通信機能を有する腕時計型の携帯端末であって、参加者の腕に装着される。これにより、参加者は、携帯端末８を携帯することとなる。
【００９５】
なお、携帯端末８は、ＧＰＳ機能や無線通信機能を有していれば、携帯電話、スマートフォン、ＰＨＳ（Personal Handy-phone System）、ＰＤＡ（Personal Digital Assistant）等の携帯端末であっても良い。
【００９６】
携帯端末８は、図１０に示す通り、時刻検出部８０と、フラッシュメモリ８１と、表示モニタ８２と、操作部８３と、ＧＰＳ受信機８４と、通信部８５と、内蔵アンテナ８６と、音声出力部８７と、制御部８８とを備える。
【００９７】
時刻検出部８０は、現在の時刻を検出する計時機能を有している。例えば、時刻検出部８０は、標準電波の送信局（不図示）から送信されて来る原子時計による日付・時刻情報のデジタル信号を受信する。そして、時刻検出部８０は、自動的に時刻を合わせる電波時計としての機能を有している。また、時刻検出部８０は、いわゆるストップウオッチとしての機能を有している。
【００９８】
フラッシュメモリ８１は、携帯端末８の制御を行なうプログラム等を予め記憶している不揮発性のメモリである。表示モニタ８２は、例えば液晶表示媒体により構成される。表示モニタ８２は、制御部８８の指示に応じて、例えば携帯端末８の操作メニュー等を表示する。操作部８３は、携帯端末８を操作するための指示入力を受け付ける。ＧＰＳ受信機８４は、ＧＰＳ衛星２（図１参照）からの電波を受信して、位置情報（経度、緯度、方位等）を制御部８８に出力する。
【００９９】
通信部８５は、Ｗｉ−Ｆｉ（Wireless Fidelity）通信を行なうためのＷｉ−Ｆｉルータを有し、内蔵アンテナ８６を介して、携帯電話の基地局４と通信を行なう。なお、通信部８５は、Ｗｉ−Ｆｉ通信でアクセスポイント（無線ＬＡＮ装置６等）へアクセスするための無線ＬＡＮユニットを備えても良い。本実施形態では、通信部８５は、インターネット網３を経由して管理サーバ５の通信Ｉ／Ｆ部５１と通信を行なう。音声出力部８７は、音声の出力を行なう。また、音声出力部８７は、必要に応じてアラーム音を発する。
【０１００】
制御部８８は、携帯端末８の統括的な制御を行なうプロセッサである。制御部８８は、電源（不図示）がオンされることにより、フラッシュメモリ８１に予め記録されたプログラムを実行して携帯端末８の各部を制御する。また、制御部８８は、送信要求受付部８８ａと、位置情報取得部８８ｂと、位置情報送信部８８ｃとしても機能する。送信要求受付部８８ａは、通信部８５を介して管理サーバ５から現在位置の位置情報の送信要求を受け付ける。位置情報取得部８８ｂは、ＧＰＳ受信機８４から現在位置の位置情報を取得する。位置情報送信部８８ｃは、通信部８５を介して管理サーバ５に位置情報を送信する処理を行なう。
【０１０１】
＜管理システム１００の動作＞
次に、本実施形態における管理システム１００の動作の一例を説明する。
【０１０２】
図１１は、管理システム１００における携帯端末８の動作の一例を示すフローチャートである。図１２は、管理システム１００における無線ＩＣタグ７の動作の一例を示すフローチャートである。図１３は、電子カメラ１と管理サーバ５との間のシーケンスの一例を説明する図である。なお、本実施形態では、４２．１９５ｋｍの市民マラソンを例にして説明する。
【０１０３】
以下、携帯端末８の動作、無線ＩＣタグ７の動作、電子カメラ１と管理サーバ５との間のシーケンスの動作について説明する。
【０１０４】
＜携帯端末８の動作＞
携帯端末８側では、スタート開始前に不図示の電源がオンされることにより、制御部８８は、通信部８５を介して管理サーバ５との間で接続状態を確立する。そして、制御部８８は、図１１に示すフローの処理を開始させる。
【０１０５】
ステップＳ１０１：制御部８８の送信要求受付部８８ａは、管理サーバ５から現在位置の位置情報の送信要求の受け付けがあるか否かを判定する。具体的には、送信要求受付部８８ａが送信要求を受け付けた場合（ステップＳ１０１：Ｙｅｓ）、制御部８８は、ステップＳ１０２の処理に移行する。一方、送信要求受付部８８ａが送信要求を受け付けない場合（ステップＳ１０１：Ｎｏ）、制御部８８は、ステップＳ１０４の処理に移行する。
【０１０６】
ステップＳ１０２：制御部８８の位置情報取得部８８ｂは、ＧＰＳ受信機８４から現在位置の位置情報を取得する。
【０１０７】
ステップＳ１０３：制御部８８の位置情報送信部８８ｃは、位置情報の送信処理を行なう。具体的には、位置情報送信部８８ｃは、参加者Ｐ１の位置情報を管理サーバ５に向けて送信する。
【０１０８】
ステップＳ１０４：制御部８８は、電源オフを受け付けたか否かを判定する。電源オフを受け付けていない場合（ステップＳ１０４：Ｎｏ）、制御部８８は、ステップＳ１０１の処理に戻り、ステップＳ１０１の処理を繰り返す。一方、電源オフを受け付けた場合（ステップＳ１０４：Ｙｅｓ）、制御部８８は、図１１に示すフローの処理を終了させる。
【０１０９】
以上より、参加者が装着している携帯端末８は、スタートからゴールに至るまでの間、管理サーバ５から現在位置の位置情報の送信要求の受け付ける度に、位置情報を管理サーバ５に送信する。
【０１１０】
＜無線ＩＣタグ７の動作＞
次に、管理システム１００における無線ＩＣタグ７の動作の一例について説明する。無線ＩＣタグ７側では、上述した通り、図１に示す計測器９内のリーダ／ライタからマット状の内蔵アンテナを介してＲＦ磁界の電磁誘導により、電力の供給を受ける。そのため、無線ＩＣタグ７は、電力の供給を受ける度に、図１２に示すフローの処理を開始させる。
【０１１１】
ステップＳ２０１：制御回路７４は、ＲＦ信号の受信処理を行なう。具体的には、制御回路７４は、無線ＩＣ回路７２に指示を出して、計測器９内のリーダ／ライタからＲＦ信号を受信させる。そして、制御回路７４は、ステップＳ２０２の処理に移行する。
【０１１２】
ステップＳ２０２：制御回路７４は、識別番号の読出し処理を行なう。具体的には、制御回路７４は、ＲＦ信号を解読して、メモリ７１から識別番号を読み出す。そして、制御回路７４は、ステップＳ２０３の処理に移行する。
【０１１３】
ステップＳ２０３：制御回路７４は、参加者情報の送信処理を行なう。具体的には、制御回路７４は、無線ＩＣ回路７２に指示を出して、計測器９内のリーダ／ライタに向けて識別番号を示すＲＦ信号を送信する。そして、制御回路７４は、図１２に示すフローの処理を終了させる。
【０１１４】
以上より、図１２に示すフローの処理において、スタートライン通過時であれば、計測器９は、スタートライン通過時の時刻と識別番号とを管理サーバ５に送信する。
【０１１５】
上述した通り、市民マラソン等では多数の参加者が出場するため、全ての参加者は、同時にスタートラインに立てない。そこで、スタートライン通過時の時刻と、スタートの号砲がなった時刻との差分により、管理サーバ５では、スタートの号砲が鳴ってからスタートラインを通過するまでのタイムを参加者毎に計算して、データベース５４ａに記録することができる。
【０１１６】
また、参加者が計測地点（５ｋｍのラップ位置）を通過する度に、無線ＩＣタグ７は、図１２に示すフローの処理を行なうので、計測器９は、計測地点の通過時の時刻と識別番号とを管理サーバ５に送信する。これにより、管理サーバ５では、５ｋｍ毎の通過時刻から、５ｋｍの区間毎のラップタイムを参加者毎に計算して、データベース５４ａに記録することができる。
【０１１７】
また、参加者がゴールラインを通過と、無線ＩＣタグ７は、図１２に示すフローの処理を行なうので、計測器９は、ゴールライン通過時の時刻と識別番号とを管理サーバ５に送信する。これにより、管理サーバ５では、グロスタイムやネットタイムを参加者毎に計算して、データベース５４ａに記録することができる。
【０１１８】
＜電子カメラ１と管理サーバ５との間のシーケンスの動作＞
次に、管理システム１００における電子カメラ１と管理サーバ５との間のシーケンスの一例を説明する。
【０１１９】
なお、管理サーバ５は、大会本部により電源がオンされて稼働していることとする。電子カメラ１側では、電源がオンされた後、図２に示す操作部１７が、多数の参加者の中から特定の参加者を撮影しやすくするマラソン撮影モードの指示入力を受け付けた場合、ＣＰＵ２７は、図１３に示す電子カメラ１側のフローの処理を開始させる。ここで、説明を分かりやすくするため、本実施形態では、図１に示す参加者Ｐ１を撮影者Ｐ２との関係で説明する。つまり、管理システム１００では、撮影者Ｐ２にとって、多数の参加者の中から参加者Ｐ１を撮影しやすくする手段を提供する。
【０１２０】
先ず、管理サーバ５側の処理について説明する。管理サーバ５は、スタートの号砲に連動して、スタート時刻をデータベース５４ａに記録する。これにより、管理サーバ５は、図１３に示す管理サーバ５側のシーケンスの処理を開始させる。ここで、シーケンスの処理には示していないが、サーバ用ＣＰＵ５７は、コースマップ等の送信要求の受付待ち状態に移行する。そして、サーバ用ＣＰＵ５７は、電子カメラ１側からのアクセスがあると、ステップＳ３０１の処理に移行する。
【０１２１】
ステップＳ３０１：サーバ用ＣＰＵ５７は、コースマップ等の送信処理を行なう。具体的には、先ず、サーバ用ＣＰＵ５７の送信要求受付部５７ｆは、電子カメラ１側からの送信要求を受け付ける。これにより、サーバ用ＣＰＵ５７の参加者情報送信部５７ｇは、例えばコースマップ、スタート時刻の情報を電子カメラ１に送信する。そして、サーバ用ＣＰＵ５７は、ステップＳ３０２の処理に移行する。
【０１２２】
ステップＳ３０２：サーバ用ＣＰＵ５７は、電子カメラ１側からの受信処理を行なう。具体的には、サーバ用ＣＰＵ５７の撮影者側位置情報受信部５７ｂは、電子カメラ１から、通信Ｉ／Ｆ部５１を介して撮影者Ｐ２の位置情報を受信する。また、送信要求受付部５７ｆは、電子カメラ１から、通信Ｉ／Ｆ部５１を介して、識別番号に基づく参加者Ｐ１の参加者情報の送信要求を受け付ける。そして、サーバ用ＣＰＵ５７は、ステップＳ３０３の処理に移行する。
【０１２３】
ステップＳ３０３：サーバ用ＣＰＵ５７は、参加者情報の作成処理を行なう。具体的には、サーバ用ＣＰＵ５７は、参加者Ｐ１の携帯端末８に向けて、位置情報の送信要求を行なう。これにより、携帯端末８では、上述した図１１に示すステップＳ１０１〜Ｓ１０３の処理を行なう。そして、サーバ用ＣＰＵ５７の参加者側位置情報受信部５７ａは、携帯端末８から、通信Ｉ／Ｆ部５１を介して参加者Ｐ１の位置情報を受信する。
【０１２４】
ここで、サーバ用ＣＰＵ５７の通過時間取得部５７ｃがコース上の計測地点における参加者Ｐ１の通過タイムを、通信Ｉ／Ｆ部５１を介して取得している場合、参加者情報作成部５７ｄは、既に通過した計測地点の通過タイムと、参加者Ｐ１の位置情報とに基づいて、参加者Ｐ１の移動状況を示す参加者情報を作成する。
【０１２５】
具体的には、参加者情報作成部５７ｄは、データベース５４ａの図８（ｄ）を参照し、撮影者Ｐ２の所持する電子カメラ１の識別情報に対応する現在位置（指定位置）の位置情報を読み出す。また、参加者情報作成部５７ｄは、参加者Ｐ１の識別番号に基づいて、データベース５４ａの図８（ｂ）、（ｃ）を参照し、既に通過した計測地点の通過タイムと、参加者Ｐ１の位置情報を読み出す。そして、参加者情報作成部５７ｄは、参加者Ｐ１の参加者情報として、撮影者Ｐ２の位置情報に基づくコース上の指定位置（撮影者Ｐ２の前方）を参加者Ｐ１が通過する予測タイムを算出する。
【０１２６】
さらに、詳しく説明すると、参加者情報作成部５７ｄは、例えば、計測地点の通過タイムを入力データとして、回帰分析（最小自乗法）により、例えば回帰直線を求めて、指定位置の予測タイムを算出する。なお、計測地点の通過タイムのサンプル数が少ない場合には、参加者情報作成部５７ｄは、携帯端末８から送信されてくる位置情報に基づく通過タイムを入力データとして、さらに加えて回帰分析をすることにより、指定位置の予測タイムを算出しても良い。これにより、参加者情報作成部５７ｄは、既に通過した計測地点の通過タイムのみのデータから算出する予測タイムより、精度の高い予測タイムを算出することができる。
【０１２７】
記録処理部５７ｅは、一旦、予測タイムをデータベース５４ａに記録する。そして、サーバ用ＣＰＵ５７は、ステップＳ３０４の処理に移行する。
【０１２８】
ステップＳ３０４：サーバ用ＣＰＵ５７の参加者情報送信部５７ｇは、参加者情報の送信処理を行なう。具体的には、参加者情報送信部５７ｇは、参加者Ｐ１の参加者情報をデータベース５４ａから読み出して、参加者Ｐ１の予測タイムを、通信Ｉ／Ｆ部５１を介して電子カメラ１に送信する。サーバ用ＣＰＵ５７は、図１３に示す管理サーバ５側のシーケンスの処理を一旦終了させる。なお、サーバ用ＣＰＵ５７は、電子カメラ１から送信要求を受け付けると、再度ステップＳ３０２からステップＳ３０４の処理を繰り返すこととする。
【０１２９】
次に、電子カメラ１側の処理について説明する。
【０１３０】
ステップＳ４０１：ＣＰＵ２７は、コースマップ等の送信要求を行なう。例えば、操作部１７又はタッチパネル１９が、撮影者Ｐ２によりコースマップの表示の選択入力を受け付けた場合、ＣＰＵ２７は、通信Ｉ／Ｆ部５１を介して、管理サーバ５に向けてコースマップ等の送信要求を行なう。また、参加者Ｐ１の識別番号、例えばゼッケン番号を撮影者Ｐ２が入力する。そして、ＣＰＵ２７は、ステップＳ４０２の処理に移行する。
【０１３１】
ステップＳ４０２：ＣＰＵ２７は、コースマップ等の受信処理を行なう。具体的には、ＣＰＵ２７は、通信Ｉ／Ｆ部５１を介して、コースマップをダウンロードしてフラッシュメモリ１４に記録する。また、ＣＰＵ２７は、スタート時刻の情報も受信する。そして、ＣＰＵ２７は、ステップＳ４０３の処理に移行する。
【０１３２】
ステップＳ４０３：ＣＰＵ２７は、表示処理を行なう。具体的には、ＣＰＵ２７は、フラッシュメモリ１４からコースマップを読み出して、表示モニタ１６に表示させる。
【０１３３】
図１４は、コースマップの表示例を示す図である。ＣＰＵ２７は、スタート時刻も表示モニタ１６に表示させても良い。そして、ＣＰＵ２７は、ステップＳ４０３の処理に移行する。
【０１３４】
なお、ステップＳ４０１の処理において、操作部１７が撮影者Ｐ２により参加者Ｐ１のゼッケン番号の入力を受け付けると、ＣＰＵ２７は、コースマップ、参加者Ｐ１の現在の移動状況を示す参加者情報の送信要求をする。これにより、ＣＰＵ２７は、参加者情報を受信し（ステップＳ４０２）、ＣＰＵ２７は、コースマップに加えて、参加者Ｐ１の現在の移動状況を表示モニタ１６に表示させる。
【０１３５】
図１５は、コースマップ及び参加者Ｐ１の現在の移動状況の表示例を示す図である。
【０１３６】
ステップＳ４０４：ＣＰＵ２７は、位置情報及び参加者情報の送信要求を行なう。具体的には、ＣＰＵ２７の位置情報送信部２７ｂは、管理サーバ５に向けて、撮影者Ｐ２の位置情報を通信Ｉ／Ｆ部２０を介して送信する。また、ＣＰＵ２７の参加者情報要求部２７ｃは、参加者Ｐ１の参加者情報（例えば、ラップタイム）を、通信Ｉ／Ｆ部２０を介して管理サーバ５に送信要求する。
【０１３７】
図１６は、コース上の指定位置を指定する手段の一例を示す図である。図１６（ａ）では、タッチパネル１９が、撮影者Ｐ２の指Ｆによりコース上の指定位置の選択入力を受け付けた状態を模式的に表している。撮影者Ｐ２の指Ｆがタッチパネル１９から離れると、ＣＰＵ２７は、表示モニタ１６にスタート位置から指定位置までの距離を表示モニタ１６に表示させる。図１６（ｂ）では、スタート位置から指定位置までの距離の表示の一例を示している。
【０１３８】
なお、撮影者Ｐ２は、参加者Ｐ１を撮影するため、指定位置の近くにいることとする。そのため、撮影者Ｐ２の現在位置と指定位置とは、ＧＰＳ衛星２からの位置情報としてほぼ同じ位置とする。
【０１３９】
したがって、位置情報送信部２７ｂは、管理サーバ５に向けて、撮影者Ｐ２の位置情報を例えば１７．３ｋｍ地点の位置情報として送信する。そして、ＣＰＵ２７は、ステップＳ４０５の処理に移行する。
【０１４０】
ステップＳ４０５：ＣＰＵ２７の参加者情報受信部２７ｄは、参加者情報の受信処理を行なう。具体的には、参加者情報受信部２７ｄは、予測タイムを、管理サーバ５から通信Ｉ／Ｆ部２０を介して受信する。
【０１４１】
ステップＳ４０６：ＣＰＵ２７は、表示処理を行なう。具体的には、ＣＰＵ２７は、ゼッケン番号に基づく参加者Ｐ１の現在位置と、撮影者Ｐ２の前を通過する予測タイムに基づく通過予想時刻とを表示モニタ１６に表示させる。なお、ＣＰＵ２７は、通過予想時刻に代えて予測タイムを表示モニタ１６に表示させても良い。或いは、ＣＰＵ２７は、予測タイムと通過予想時刻とを表示モニタ１６に表示させても良い。ここで、ＣＰＵ２７は、計時機能に基づいて、予測タイムから通過予想時刻を算出する。通過予想時刻を表示させるのは、撮影者Ｐ２が予測タイムよりも直感的に分かりやすいからである。
【０１４２】
図１７は、参加者Ｐ１の現在位置と通過予想時刻との表示例を示す図である。撮影者Ｐ２は、表示モニタ１６を見ることで、視覚的に通過予想時刻等を知ることができる。そして、ＣＰＵ２７は、ステップＳ４０７の処理に移行する。
【０１４３】
ステップＳ４０７：ＣＰＵ２７の報知制御部２７ｅは、報知処理を行なう。具体的には、報知制御部２７ｅは、参加者Ｐ１が撮影者Ｐ２に近づいて来ることをスピーカ２４や報知発光部２６に報知させる。この際、報知制御部２７ｅは、通過予想時刻に基づいて参加者Ｐ１が撮影者Ｐ２に近づいて来るに従って、報知発光部２６における光を点灯する周期を段階的に短くする。或いは、報知制御部２７ｅは、通過予想時刻に基づいて参加者Ｐ１が撮影者Ｐ２に近づいて来るに従って、スピーカ２４の音のレベルを段階的に上げる。
【０１４４】
或いは、報知制御部２７ｅは、ファインダ１１２を利用した報知処理を行なっても良い。
【０１４５】
図１８は、ファインダ１１２を利用した報知処理の一例を示す図である。図１８において、報知制御部２７ｅは、ファインダ１１２内の液晶表示により、例えば、擬似的にＬＥＤ１１２ａを表示させて、そのＬＥＤ１１２ａを点滅させるようにしても良い。これにより、撮影者Ｐ２は、ファインダ１１２内を覗きながら、参加者Ｐ１が近づいて来ることを認識できる。
【０１４６】
なお、撮影者Ｐ２が参加者Ｐ１を被写体として撮影した場合、ＣＰＵ２７は、撮影画像をＥｘｉｆ（Exchangeable Image File Format）形式の画像ファイルとして記録媒体Ｍ１に記録する。この際、ＣＰＵ２７は、ヘッダファイルに記録される撮影日時やＧＰＳ情報等から、撮影したときの通過タイムや距離情報（スタート位置から指定位置までの距離）等を算出し、これらの情報を関連付けた別ファイル内に記録しても良い。
【０１４７】
以上、市民マラソン等、多数の参加者が出場する競技大会の場合、電子カメラ１の報知制御部２７ｅは、撮影者に対して、特定の参加者が近づいて来ることを報知することができる。つまり、撮影者は、特定の参加者の位置が把握できるので、見逃しにくくなる。また、コースの沿道に大勢の人がいても、撮影者は、例えば報知発光部２６の点滅状態で特定の参加者までのおよその距離を判断できる。そのため、撮影者は、特定の参加者を被写体として見つけやすくなる。
【０１４８】
したがって、本実施形態の管理システム１００では、多数の参加者の中から特定の参加者を撮影しやすくする手段を提供できる。
【０１４９】
（第２実施形態）
次に、第２実施形態について説明する。ここで、第１実施形態と第２実施形態とでは、同じ構成要素については同じ符号を付して説明を省略し、相違点を主に説明する。
【０１５０】
第２実施形態の管理システム１００では、撮影者Ｐ２側の電子カメラ１が位置情報を管理サーバ５に送信しなくても良い点を特徴とする。
【０１５１】
そこで、第２実施形態の電子カメラ１の構成では、第１実施形態で採用した制御プログラムＡに代えて、図５に示す制御プログラムＢを採用する。つまり、第２実施形態の電子カメラ１では、制御プログラムＡと制御プログラムＢとを比較して、位置情報送信部２７ｂが不要となる。
【０１５２】
具体的には、第２実施形態では、図５に示す制御プログラムＢがＣＰＵ２７に読み込まれる。そして、ＣＰＵ２７は、制御プログラムＢを実行することによって、位置情報取得部２７ａと、参加者情報要求部２７ｃと、参加者情報受信部２７ｄと、報知制御部２７ｅとして機能する。
【０１５３】
また、第２実施形態の管理サーバ５の構成では、第１実施形態で採用したサーバ用制御プログラムＡに代えて、図７に示すサーバ用制御プログラムＢを採用する。つまり、第２実施形態の管理サーバ５の構成では、撮影者Ｐ２の位置情報、計測地点の通過タイムを必要としない。そのため、第２実施形態では、サーバ用制御プログラムＡとサーバ用制御プログラムＢとを比較して、撮影者側位置情報受信部５７ｂと、通過時間取得部５７ｃとが不要となる。
【０１５４】
具体的には、第２実施形態では、フラッシュメモリ５２にインストールされたサーバ用制御プログラムＢがサーバ用ＣＰＵ５７に読み込まれる。そして、サーバ用ＣＰＵ５７は、サーバ用制御プログラムＢを実行することによって、参加者側位置情報受信部５７ａと、参加者情報作成部５７ｄと、記録処理部５７ｅと、送信要求受付部５７ｆと、参加者情報送信部５７ｇとして機能する。なお、第２実施形態では、データベース５４ａにおいて、図８（ｄ）の表を使用しない。
【０１５５】
次に、第２実施形態の管理システム１００の動作について説明する。第１実施形態の管理システム１００と異なるのは、図１３に示す電子カメラ１側のステップＳ４０４のフローの処理において、参加者情報（参加者Ｐ１の位置情報）の送信要求のみを行なう点である。すなわち、第２実施形態では、電子カメラ１側からは、撮影者Ｐ２の位置情報を管理サーバ５に送信しない代わりに、管理サーバ５から参加者Ｐ１の位置情報を受信する。
【０１５６】
そして、報知制御部２７ｅは、管理サーバ５から送信されてくる参加者Ｐ１の位置情報を表示モニタ１６に表示させる。報知制御部２７ｅは、例えば、図１７において、通過予想時刻を表示させないようにする。
【０１５７】
つまり、電子カメラ１側では、位置情報取得部２７ａが撮影者Ｐ２側の位置情報を取得することができるため、撮影者Ｐ２は、表示モニタ１６上で、参加者Ｐ１と撮影者Ｐ２との位置情報から、両者がコース上でどのくらい離れているか知ることができる。そのため、報知制御部２７ｅは、参加者Ｐ１と撮影者Ｐ２との位置情報とに基づいて、例えば、参加者Ｐ１が撮影者Ｐ２に近づいて来ることをスピーカ２４や報知発光部２６に報知させることができる。
【０１５８】
以上、第２実施形態では、電子カメラ１側から位置情報の送信を必要とせず、撮影者Ｐ２は、上記の両者（参加者Ｐ１、撮影者Ｐ２）がコース上でどのくらい離れているかを知ることができる。そして、参加者Ｐ１が撮影者Ｐ２に近づいて来ると、電子カメラ１の報知制御部２７ｅが報知するため、撮影者Ｐ２は、参加者Ｐ１を被写体として見つけやすくなる。これにより、撮影者Ｐ２は、多数の参加者の中から特定の参加者を撮影しやすくなる。
【０１５９】
（第３実施形態）
次に、第３実施形態について説明する。なお、上記の実施形態と第３実施形態とでは、同じ構成要素については同じ符号を付して説明を省略し、相違点を主に説明する。
【０１６０】
第３実施形態の管理システム１００では、参加者Ｐ１が撮影者Ｐ２に近づいて来ると、電子カメラ１では、スルー画像を解析して、複数の参加者の中から参加者Ｐ１を発見して、撮影者Ｐ２に報知する手段を提供する。
【０１６１】
第３実施形態の管理システム１００において、電子カメラ１では、第１実施形態で採用した制御プログラムＡに、さらに図５に示す制御プログラムＣを追加して採用する。この場合、管理サーバ５では、第１実施形態で採用したサーバ用制御プログラムＡを採用する。
【０１６２】
或いは、電子カメラ１では、第２実施形態で採用した制御プログラムＢに、さらに図５に示す制御プログラムＣを追加して採用しても良い。この場合、管理サーバ５では、第２実施形態で採用したサーバ用制御プログラムＢを採用する。
【０１６３】
電子カメラ１では、予め、特定の参加者（例えば参加者Ｐ１）の顔の画像をフラッシュメモリ１４に記憶しておくことを前提条件とする。
【０１６４】
ここで、第３実施形態では、例えば、図５に示す制御プログラムＡ及び制御プログラムＣがＣＰＵ２７に読み込まれる。そして、ＣＰＵ２７は、制御プログラムＡ及び制御プログラムＣを実行することによって、位置情報取得部２７ａと、位置情報送信部２７ｂと、参加者情報要求部２７ｃと、参加者情報受信部２７ｄと、報知制御部２７ｅと、画像認識部２７ｆして機能する。或いは、ＣＰＵ２７は、制御プログラムＢ及び制御プログラムＣを実行することによって、位置情報取得部２７ａと、参加者情報要求部２７ｃと、参加者情報受信部２７ｄと、報知制御部２７ｅと、画像認識部２７ｆして機能させても良い。
【０１６５】
ここで、画像認識部２７ｆは、スルー画像を解析して顔を認識する。具体的には、画像認識部２７ｆは、スルー画像の画像データをＲＡＭ１３から読み出して、その画像データから被写体として人物の顔の領域（顔画像）を抽出する。この場合、人物の顔の領域の抽出は、公知の顔抽出処理により行なうことができる。より詳しくは、画像認識部２７ｆは、スルー画像の画像データから顔の領域を肌色等の輝度信号に基づいて抽出し、顔画像を認識する。
【０１６６】
図１９は、第３実施形態の処理の流れを示す図である。図１９（ａ）、（ｂ）は、画像認識部２７ｆによる顔認識処理を表している。ここで、画像認識部２７ｆは、上述した通り、スルー画像を解析する。図１９（ａ）では、画像認識部２７ｆが、枠Ｗ１〜Ｗ４で囲む領域を顔として認識したことを表している。図１９（ｂ）では、画像認識部２７ｆの認識結果により、Ｗ３で囲む領域の顔が参加者Ｐ１であることを認識したことを表している。つまり、画像認識部２７ｆは、抽出した顔画像に基づいて、フラッシュメモリ１４に記憶されている顔の画像を照合し、登録画像であるか否かを判定する。そして、画像認識部２７ｆは、登録画像以外は、不要な顔であると認識する。図１９（ｂ）では、説明を分かりやすくするため、登録画像以外の枠Ｗ１、Ｗ２及びＷ４に×印を付けている。
【０１６７】
報知制御部２７ｅは、照合結果に基づいて、一致した顔について目印表示の一例として枠Ｗ３を表示モニタ１６に表示させる（図１９（ｃ）参照）。
【０１６８】
そして、報知制御部２７ｅは、参加者Ｐ１が近づいて来ることを例えば報知発光部２６に報知させる。
【０１６９】
以上より、第３実施形態において、電子カメラ１は、スルー画像を解析して複数の参加者の中から参加者Ｐ１を発見して撮影者Ｐ２に報知することができる。
【０１７０】
なお、電子カメラ１は、登録画像の被写体に対してオートフォーカス等の処理を行なっても良い。これにより、撮影者Ｐ２は、レリーズ釦１８を押すだけで、焦点距離等の撮影条件の設定をせずに写真撮影を行なうことができる。
【０１７１】
なお、画像認識部２７ｆは顔認識処理によって参加者Ｐ１を認識したが、画像データからゼッケン番号を抽出するようにしても良い。この場合、予め撮影者Ｐ２が参加者Ｐ１のゼッケン番号を登録しておき、照合結果に基づいて、報知制御部２７ｅは、一致したゼッケン番号について枠Ｗ３を表示モニタ１６に表示させる。
【０１７２】
（実施形態の補足事項）
（１）上記の実施形態では、本発明の適用可能な撮影装置として、一眼レフレックスタイプの電子カメラを例示したが、この方式の電子カメラに限られない。本発明の適用可能な撮影装置は、例えば、レンズ一体型の電子カメラやクイックリターンミラー１０１のないレンズ交換式の電子カメラが含まれる。また、本発明の適用可能な撮影装置は、カメラ機能を備えた携帯電話機、携帯情報端末（ＰＤＡ:Personal Digital Assistant）も含まれる。また、電子カメラ機能を備えた携帯電話機の場合、管理サーバ５との通信は、携帯電話の基地局４を介してインターネット網３に接続する構成とすれば良い。
【０１７３】
（２）上記の実施形態では、報知制御部２７ｅは、例えば、参加者Ｐ１が撮影者Ｐ２に近づいて来るに従って、スピーカ２４の音のレベルを段階的に上げたり、報知発光部２６の点滅を早めたりする等の処理を行なった。
【０１７４】
ここで、報知制御部２７ｅは、レンズ鏡筒に設けられる操作環の操作に応じて、報知内容を変更しても良い。
【０１７５】
図２０は、撮影レンズユニット（レンズ鏡筒）Ｕ１の側面図を示す図である。レンズ鏡筒Ｕ１は、図１に示すカメラ本体１０に交換可能に装着される。図２０（ａ）は、撮影レンズユニットＵ１のワイド状態を示す図である。図２０（ｂ）は、撮影レンズユニットＵ１のテレ状態を示す図である。撮影レンズユニットＵ１は、直進筒Ｕ１１、ズーム操作環Ｕ１２及び固定筒Ｕ１３を有する。直進筒Ｕ１１は、光軸に沿って前後に進退する。また、ズーム操作環Ｕ１２は、ズームレンズ群を移動して焦点距離を変更するときに操作され、直進筒Ｕ１１を前後に進退させる。具体的には、例えば撮影者Ｐ２によってズーム操作環Ｕ１２が回転操作されると、直進筒Ｕ１１は、光軸に沿って移動する。
【０１７６】
ここで、ワイド状態の場合、テレ状態に比べて遠くの被写体を撮影できるため、報知制御部２７ｅは、テレ状態に比べてより早く、例えばスピーカ２４による報知処理を開始しても良い。これにより、撮影者Ｐ２は、遠くから近づいて来る参加者Ｐ１を撮影しやすくなる。
【０１７７】
なお、図２０では、ズームレンズ群を移動して焦点距離を変更するときに操作されるズーム操作環Ｕ１２を例示したが、報知制御部２７ｅは、フォーカスレンズ群を移動して合焦動作をするときに操作されるフォーカス操作環の操作に応じて、報知内容を変更しても良い。
【０１７８】
また、報知制御部２７ｅは、撮影光学系Ｕ２に用いられる交換レンズに応じて、報知内容を変更しても良い。具体的には、望遠レンズ（例えば焦点距離が７０−３００ｍｍ）を用いた場合、標準レンズ（例えば焦点距離が１８−５５ｍｍ）よりも、遠くの被写体を撮影できるため、報知制御部２７ｅは、標準レンズを用いた場合に比べてより早く、例えばスピーカ２４による報知処理を開始しても良い。
【０１７９】
また、報知制御部２７ｅは、図４に示す焦点距離検出部１０９が検出した焦点距離に応じて、例えば、スピーカ２４や報知発光部２６の報知内容を変更しても良い。これにより、焦点距離が例えば所定の距離より遠方の被写体の場合、報知制御部２７ｅは、その分、より早く、例えばスピーカ２４や報知発光部２６による報知処理を行なうことができる。
【０１８０】
（３）上記の実施形態では、マラソンコースにおいて同じ道で往路と復路とが設定されている場合に、以下の問題が発生することが起こり得る。そこで、この問題及び解決策について説明する。
【０１８１】
図１６において、表示モニタ１６に表示されているコースマップの指定位置を撮影者Ｐ２が指Ｆでタッチした際、指Ｆがコースマップ上で往路と復路とを同時にタッチしてしまうという問題が起こり得る。この場合、ＣＰＵ２７は、例えば、コースマップを拡大表示させて、往路と復路との何れかをタッチパネル操作により選択させる。これにより、撮影者Ｐ２が往路と復路とを同時に指Ｆでタッチした場合でも、ＣＰＵ２７は、コースマップを拡大表示により、往路と復路との何れかを撮影者Ｐ２に選択させることができる。
【０１８２】
或いは、参加者Ｐ１が指定位置に対して往路をまだ通過していない場合には、ＣＰＵ２７は、表示モニタ１６にスタート位置から往路の位置までの距離を表示モニタ１６に表示させても良い。一方、参加者Ｐ１が指定位置に対して往路を既に通過している場合には、ＣＰＵ２７は、表示モニタ１６にスタート位置から復路の位置までの距離を表示モニタ１６に表示させても良い。これにより、撮影者Ｐ２は、往路側の沿道で撮影するべきか、復路側の沿道で撮影するべきかの指針が得られる。
【０１８３】
（４）上記の実施形態では、撮影者Ｐ２は、参加者Ｐ１を撮影するため、指定位置の近くにいることとした。そのため、撮影者Ｐ２の現在位置と指定位置とは、ＧＰＳ衛星２からの位置情報としてほぼ同じ位置とした。ここで、上記実施形態では、撮影者Ｐ２の現在位置と指定位置とが異なっても良い。例えば、撮影者Ｐ２が１５ｋｍ付近にいた場合、その撮影者Ｐ２が、例えば指定位置（撮影ポイント）として２５ｋｍの位置をタッチパネル操作で選択しても良い。撮影者Ｐ２の現在位置と指定位置とが異なる場合、ＣＰＵ２７は、指定位置を優先する。
【０１８４】
つまり、撮影者Ｐ２が撮影したい指定位置を指定した場合、ＣＰＵ２７は、その指定位置を参加者Ｐ１が通過する通過予想時刻を表示モニタ１６に表示させる。これにより、撮影者Ｐ２は、次の指定位置（撮影ポイント）に移動可能か否かを判断することができる。
【０１８５】
（５）上記の実施形態では、簡単のため、マラソンコースの高低差については、特に言及しなかった。ここで、５ｋｍ毎のラップタイムの平均タイムから予測タイムを計算すると、高低差がある場合、実際の場合と誤差が生じる可能性がある。そこで、管理サーバ５の参加者情報作成部５７ｄは、高低差を考慮して平均タイムに重み付け等をすることにより、より精度の高い予測タイムを算出しても良い。
【０１８６】
図２１は、高低差を考慮した場合の報知処理の一例を示す図である。図２１において、ＣＰＵ２７は、表示モニタ１６に高低差を考慮した場合の参加者Ｐ１と撮影者Ｐ２との位置関係を時間経過に応じて表示させる。ここで、表示モニタ１６に表示される表において、横軸はマラソンコースの距離、縦軸は標高を表している。図中、Ｓは、スタート地点を表しており、Ｇは、ゴール地点を表している。また、撮影者Ｐ２は、高低差を視覚的に理解しつつ参加者Ｐ１が近づいて来ることを認識できる。
【０１８７】
さらに、ＣＰＵ２７は、通過予想時刻を表示させても良い。この通過予想時刻は、高低差が考慮されているので、報知制御部２７ｅ、より正確に参加者Ｐ１が近づいて来ることを報知することが可能となる。
【０１８８】
（６）従来、計測地点のラップタイムから予測タイムを計算すると、最初の５ｋｍまでは、予測タイムが算出するのが困難であり、また、最初の１０ｋｍまでの場合には、５ｋｍの計測地点までのラップタイムに基づいて、予測タイムを算出することになる。そのため、誤差が大きくなるおそれがある。本実施形態では、上述した通り、管理サーバ５が携帯端末８に現在位置の位置情報の送信要求をする毎に、位置情報を携帯端末８から受信してその位置の通過タイムを算出しても良いので、管理サーバ５の参加者情報作成部５７ｄは、精度良く、指定位置の予測タイムを算出することができる。
【０１８９】
（７）上記の実施形態では、撮影者Ｐ２の所持する電子カメラ１に報知手段を備えた。ここで、本実施形態では、電子カメラ１の報知手段に加え、例えば、参加者Ｐ１が撮影者Ｐ２に近づいて来ると、管理サーバ５から指示を出すことにより、参加者Ｐ１の携帯端末８の音声出力部８７からアラーム音を発するようにしても良い。これにより、参加者Ｐ１も撮影者Ｐ２に近づいて来ていることを知ることができる。
【符号の説明】
【０１９０】
１・・・電子カメラ、５・・・管理サーバ、２７ａ・・・位置情報取得部、２７ｂ・・・位置情報送信部、２７ｃ・・・参加者情報要求部、２７ｄ・・・参加者情報受信部、２７ｅ・・・報知制御部、２７ｆ・・・画像認識部、２７ｇ・・・表示制御部、５７ａ・・・参加者側位置情報受信部、５７ｂ・・・撮影者側位置情報受信部、５７ｃ・・・通過時間取得部、５７ｄ・・・参加者情報作成部、５７ｅ・・・記録処理部、５７ｆ・・・送信要求受付部、５７ｇ・・・参加者情報送信部、１００・・・管理システム
【図１】
2013168854.tif 000003
【図２】
2013168854.tif 000004
【図３】
2013168854.tif 000005
【図４】
2013168854.tif 000006
【図５】
2013168854.tif 000007
【図６】
2013168854.tif 000008
【図７】
2013168854.tif 000009
【図８】
2013168854.tif 000010
【図９】
2013168854.tif 000011
【図１０】
2013168854.tif 000012
【図１１】
2013168854.tif 000013
【図１２】
2013168854.tif 000014
【図１３】
2013168854.tif 000015
【図１４】
2013168854.tif 000016
【図１５】
2013168854.tif 000017
【図１６】
2013168854.tif 000018
【図１７】
2013168854.tif 000019
【図１８】
2013168854.tif 000020
【図１９】
2013168854.tif 000021
【図２０】
2013168854.tif 000022
【図２１】
2013168854.tif 000023